(57)【特許請求の範囲】
【請求項１】
連係型施錠システムであって、
第１のドアと関連した第１の施錠機構体を有し、
前記第１のドアと関連した第２の施錠機構体を有し、前記第１の施錠機構体は、前記第２の施錠機構体にワイヤレス通信可能に結合され、
前記第１のドアと関連した第３の施錠機構体を有し、前記第３の施錠機構体は、前記第１の施錠機構体及び前記第２の施錠機構体にワイヤレス通信可能に結合され、
前記第１の施錠機構体の施錠又は解錠作動により、前記第２の施錠機構体及び前記第３の施錠機構体との通信がトリガされ、それにより前記第２の施錠機構体及び前記第３の施錠機構体の施錠又は解錠を作動させ、
前記第１の施錠機構体、前記第２の施錠機構体、及び前記第３の施錠機構体は、作動の際施錠又は解除される前記施錠機構体の数及び選択がユーザによって定義可能である、異なる動作モードに設定可能であり、
ユーザ選択が第１のモードであるとき、前記第１の施錠機構体の作動の際、前記第１の施錠機構体、前記第２の施錠機構体、及び前記第３の施錠機構体の全てより少ない数の施錠機構体が施錠又は解錠され、
ユーザ選択が第２のモードであるとき、前記第１の施錠機構体の作動の際、前記第１の施錠機構体、前記第２の施錠機構体、及び前記第３の施錠機構体の全てが施錠又は解錠される、
施錠システム。
【請求項２】
前記第１の施錠機構体の施錠又は解錠作動は、電子作動を含む、請求項１記載の施錠システム。
【請求項３】
緊急の際、前記第１の施錠機構体、前記第２の施錠機構体、及び前記第３の施錠機構体の全てが、解錠位置に移行する、請求項１記載の施錠システム。
【請求項４】
前記第１の施錠機構体は、前記第２の施錠機構体及び前記第３の施錠機構体とは異なる形式のものである、請求項１記載の施錠システム。
【請求項５】
前記第１の施錠機構体は、伸長位置と引っ込み位置との間で動くことができるボルトを含む、請求項１記載の施錠システム。
【請求項６】
連係型電子ロックセットであって、
第１のドアに取り付けられた第１のロックを有し、
前記第１のドアに取り付けられた第２のロックを有し、前記第１のロックは、前記第２のロックに通信可能に結合され、
前記第１のドアのフレームの外側に取り付けられた第３のロックを有し、前記第３のロックは、前記第１のロック及び前記第２のロックに通信可能に結合され、
前記第１のロックの施錠又は解錠作動により、前記第２のロック及び前記第３のロックとのワイヤレス通信がトリガされて前記第２のロック及び前記第３のロックの施錠又は解錠を作動させ、
前記第１のロック、前記第２のロック、及び前記第３のロックは、作動の際施錠又は解除される前記ロックの数及び選択がユーザによって定義可能である、異なる動作モードに設定可能であり、
ユーザ選択が第１のモードであるとき、前記第１のロックの作動の際、前記第１のロック、前記第２のロック、及び前記第３のロックの全てより少ない数のロックが施錠又は解錠され、
ユーザ選択が第２のモードであるとき、前記第１のロックの作動の際、前記第１のロック、前記第２のロック、及び前記第３のロックの全てが施錠又は解錠される、
電子ロックセット。
【請求項７】
緊急の際、前記第１のロック、前記第２のロック、及び前記第３のロックの全てが、解錠位置に移行する、請求項６記載の電子ロックセット。
【請求項８】
前記第１のロックは、伸長位置と引っ込み位置との間で動くことができるデッドボルトを有する、請求項６記載の電子ロックセット。
【請求項９】
連係型施錠システムを提供する方法であって、前記方法は、
作動時、第１のドアと関連した第１のロックを施錠し又は解錠するステップと、
前記第１のロックの施錠又は解錠に応答して、前記第１のドアと関連した第２のロック及び第３のロックの施錠又は解錠の作動をトリガするステップとを含み、前記第２のロック及び前記第３のロックは、前記第１のロックに通信可能に結合されており、
第１の動作モード又は第２の動作モードのいずれかに入ることによって、作動の際施錠又は解除される前記ロックの数及び選択を設定するステップと、を有し、
前記第１の動作モードは、前記第１のドアと関連した前記第２のロックの施錠又は解錠の作動をワイヤレスでトリガするステップを有し、
前記第２の動作モードは、前記第１のドアと関連した前記第２のロック及び前記第３のロックの施錠又は解錠の作動をワイヤレスでトリガするステップを有する、方法。
【請求項１０】
緊急モードの作動時、前記第１のロック、前記第２のロック、及び前記第３のロックの全てを解錠するステップを更に含む、請求項９記載の方法。
【請求項１１】
前記第１のロックは、伸長位置と引っ込み位置との間で動くことができるデッドボルトを有する、請求項９記載の方法。
【請求項１２】
前記第１のロックは、前記第２のロック及び前記第３のロックとは異なる形式のものである、請求項９記載の方法。
【発明の詳細な説明】
【技術分野】
【０００１】
本開示内容、即ち本発明は、一般に、ロック（錠）に関し、特に、本発明は、多数のロックを相互に連結して協調された仕方で施錠すると共に／或いは解錠することができるシステムに関する。
【０００２】
〔関連出願の説明〕
本願は、２０１３年３月１３日に出願された米国特許仮出願第６１／７８０，５１１号（発明の名称：Interconnected Locking System）の権益主張出願であり、この米国特許仮出願を参照により引用し、その記載内容全体を本明細書の一部とする。
【背景技術】
【０００３】
多くの形式のロック、例えばデッドボルト、ノブロック、レバーハンドルロック、はめ込み錠及びスライドロックが利用できる。これらロックを用いるとドア及びゲートを締めてセキュリティが確保された領域内への入り込みを阻止することができる。或る程度の入り込みを防ぐには単一のロックで十分な場合があるが、多数のロックが必要となる状況が存在する。しかしながら、多数の施錠箇所は、複雑さをもたらす。
【発明の概要】
【発明が解決しようとする課題】
【０００４】
ユーザがドアに多数の施錠箇所を設けることを望む場合、多数の手動操作を実施しなければならない。例えば、デッドボルト、レバー、及びスライドボルトが玄関のドア（表ドア又は表出入口）に取り付けられている状態の顧客を考えてみる。顧客は、デッドボルト、レバー、及びスライドボルトを手作業で１回に１つ解錠しなければならない。問題は、二重ドアの場合に更に複雑になり、その理由は、施錠箇所の数が増えるからである。したがって、この複雑さを軽減する新規な施錠システムが要望されている。
【課題を解決するための手段】
【０００５】
本発明は、多数のロックを互いに連結して協調された仕方で施錠すると共に／或いは解錠することができる施錠システムに関する。例えば、この施錠システムにより、ユーザは、例えばデッドボルト又はレバーを作動させたときに、ロックのうちの１つの１回の作動により多数の施錠箇所を備えたドアを施錠し又は解錠することができる。多数の施錠箇所は、例えば互いにワイヤレスで通信し、それにより必要に応じて又はユーザにより設定された施錠箇所全てを作動させる。個々の施錠箇所を手作業で回し、解錠し、又はスライドさせる必要はなく、これら施錠箇所のうちの幾つかは、高くて手の届かないところに位置する場合があり、このことは、若い人又は体の弱い人にとって特に有用である。これは、ユーザにとっては好都合であり且つ時間、フラストレーションを少なくし、しかも手動ロックに躍起になることなく、ユーザに追加のセキュリティを提供する。この上述の状況は、典型的なドアの一例であるが、本発明は、ドア又はより一般的に言えば門、例えば出入口、エントランス、ゲート又は開口について具体化できる多施錠手段である。
【０００６】
一観点によれば、本発明は、連係型施錠システムを提供する。このシステムは、第１の施錠機構体及び第２の施錠機構体を含み、これら両方の施錠機構体は、第１のドアと関連している。第１の施錠機構体と第２の施錠機構体は、互いに通信可能に結合されている。第１の施錠機構体の施錠又は解錠作動により、第２の施錠機構体との通信がトリガされ、それにより第２の施錠機構体の施錠又は解錠が行われる。
【０００７】
幾つかの場合、本システムは、第１のドアと関連した第３の施錠機構体を含む。第３の施錠機構体は、第１及び第２の施錠機構体に通信可能に結合されるのが良い。第１の施錠機構体の作動により、第２の施錠機構体だけの施錠又は解錠作動がトリガされる。
【０００８】
幾つかの場合、本システムは、第２のドアと関連した第３の施錠機構体を含むのが良い。第３の施錠機構体は、第１及び第２の施錠機構体に通信可能に結合される。第１の施錠機構体の施錠又は解錠作動により、第２の施錠機構体と第３の施錠機構体の両方の施錠又は解錠がトリガされる。
【０００９】
別の観点によれば、本発明は、第１のドアに取り付けられた第１のロックと、第１のドアに取り付けられた第２のロックとを有する連係型電子ロックセットを提供する。第１のロックは、第２のロックに通信可能に結合されるのが良い。第１のロックの施錠又は解錠作動により、第２のロックとのワイヤレス通信がトリガされて第２のロックの施錠又は解錠が行われる。
【００１０】
幾つかの場合、本ロックセットは、第２のドアのフレームの外側に取り付けられた第３のロックを有する。第３のロックは、第１及び第２のロックに通信可能に結合されるのが良い。第１のロックの施錠又は解錠作動により、第２のロックと第３のロックの両方の施錠又は解錠作動がトリガされる。
【００１１】
幾つかの場合、本ロットセットは、第１のドアのフレームの外側に取り付けられた第３のロックを有し、第３のロックは、第１及び第２のロックに通信可能に結合されるのが良い。第１のロックの施錠又は解錠作動により、第３のロックではなく、第２のロックの施錠又は解錠作動がトリガされる。
【００１２】
本発明の追加の特徴及び追加の利点は、現時点において考えられる本発明を実施する最良の実施態様を例示する図示の実施形態の以下の詳細な説明を考慮すると当業者には明らかになろう。かかる追加の特徴及び利点は、本発明に含まれると共に本発明の範囲に含まれる。
【００１３】
以下、非限定的な実施例として与えられているに過ぎない添付の図面を参照して本発明について説明する。
【図面の簡単な説明】
【００１４】
【図１】本発明の実施形態としての例示の連係型ロックの斜視図である。
【図２】本発明の実施形態としての例示の連係型ロックの斜視図である。
【図３】本発明の実施形態としての例示の連係型ロックの斜視図である。
【図４】本発明の実施形態としての例示の連係型ロックの立面図である。
【図５】本発明の実施形態としての例示の連係型ロックの斜視図である。
【図６】本発明の実施形態としての例示の連係型ロックの斜視図である。
【発明を実施するための形態】
【００１５】
対応関係にある参照符号は、幾つかの図全体を通じて、対応の部分を示している。図に示されているコンポーネントは、必ずしも縮尺通りにはなっておらず、代わりに、本発明の原理を説明する際に強調が施されている。本明細書に記載された例示は、本発明の実施形態を示しており、かかる例示は、いかなる方法によっても、本発明の範囲を限定するものと解されてはならない。
【００１６】
本発明の技術的思想は、種々の改造例及び変形形態で具体化できるが、その特定の例示の実施形態が図面に例示として示されており、本明細書において、かかる実施形態について詳細に説明する。しかしながら、理解されるべきこととして、本発明の技術的思想は、開示した特定の形態には限定されず、むしろ、本発明は、本発明の精神及び範囲に含まれる全ての改造例、均等例、及び変形例を含むものである。
【００１７】
本発明は、一般に、多数のロック又は施錠箇所を相互に連結して協調された仕方で施錠すると共に／或いは解錠することができる施錠システムに関する。「ロック（錠）」又は「ロックセット」という用語は、広義には、機械式ロックであれ、電気式ロックであれ、電子機械式ロックであれ、いずれにせよ、任意形式のロックを含み、かかるロックとしては、デッドボルト、ノブロック、レバーハンドルロック、はめ込み錠及びスライドロックが挙げられるが、これらには限定されない。施錠箇所は、種々の取り付け形態及び／又は場所を有するのが良く、かかる取り付け形態及び／又は場所としては、施錠箇所がドアフレーム内に嵌め込まれ、ドアフレーム又は支持構造体の外側に取り付けられると共に／或いは直接ドアに取り付けられるが、これらには限定されない。
【００１８】
連係型システムは、数が制限されることのない施錠箇所を有することができる。一実施形態では、例えば、第１のロックが複数個の相互に連結されたロックとワイヤレス通信するのが良く、第１のロックの作動により、他の相互に連結されたロックのうちの１つ又は２つ以上も又作動される。例えば、複数個の相互に連結されたロックは、ロック相互間の通信を可能にするワイヤレス通信特徴を有するのが良い。一例を挙げるに過ぎないが、ロックのワイヤレス通信機能又は能力は、例えばＷｉ‐Ｆｉ（登録商標）を用いたＩＥＥＥ８０２．１１規格、例えばＺｉｇｂｅｅ（登録商標）を用いたＩＥＥＥ８０２．１５．４規格、ＩＥＥＥ８０２．１５．１規格、例えばブルートゥース（Bluetooth（登録商標））、セルラーネットワーク、ワイヤレスローカルエリアネットワーク又は他のネットワークプロトコルを用いることができる。したがって、ロックは、互いに直接送信することができ又はワイヤレスゲートウェイを使用することができると共に／或いは他のネットワーク機器と協調することができる。
【００１９】
幾つかの実施形態では、相互に連結されたロックは、互いに異なるモードを備えた状態で構成されるのが良い。限定された動作では、例えば、１つの施錠箇所だけが作動時に施錠され／解錠される。施錠箇所の選択は、ユーザによって設定できる。通常の動作モードであるのが良い別のモードでは、これは、主として、日々の操作に用いられ、必ずしも全ての施錠箇所が作動後に施錠／解錠されるわけではない。施錠箇所の数及び選択は、ユーザによって設定できる。拡張された動作では、全ての施錠箇所を１回の作動時に施錠／解錠するのが良い。別の例として、緊急時の動作では、ロック及び機構体の全ては、作動時にこれらの解錠位置に移行する。
【００２０】
以下は、或る特定の施錠箇所形態の例であるが、本発明は、これらの特定の施錠箇所形態に限定されるべきではない。図１は、主要なエントランスの外側に取り付けられた電子デッドボルト（１）及びノブ（２）を備えた例示の住宅用ドアを示している。この実施例では、施錠システムは、デッドボルトを施錠／解錠すると、全てのロック及び機構体がこれらのそれぞれの施錠／解錠位置に移行するよう構成されているのが良い。
【００２１】
図２は、主要なエントランスの外側に取り付けられたデッドボルト（１）及びノブ（２）を有する例示の住宅用二重ドアを示している。補助的なエントランスには外部にノブ（３）が取り付けられている。両方のエントランスは、ドア（５）（６）（７）（８）内に設けられたはめ込みボルト機構体を有する。施錠システムは、デッドボルトを施錠／解錠すると、全てのロック及び機構体がこれらのそれぞれの施錠／解錠位置に移行するよう構成されているのが良い。
【００２２】
図３は、デッドボルト（１）、レバー（２）、及びケインボルト（cane bolt ）（３）を備えた例示のゲートを示している。施錠システムは、デッドボルトを解錠すると、全てのロック及び機構体が、これらのそれぞれの解錠位置に移行するよう構成されているのが良い。
【００２３】
図４は、両方のドア（１）（２）に取り付けられたパニック（非常口）バーを有する例示の市販の二重ドアを示している。各ドアは、この実施例では、頂部（３）（４）及び底部（５）（６）のところにボルト解除機構体を有する。施錠システムは、全てのロック及び機構体が、これらロックのうちの１つを施錠／解錠すると、これらのそれぞれの施錠／解錠位置に移行するよう構成されているのが良い。
【００２４】
図５は、２本のボルト、即ち、スライドボルト（１）及び施錠ボルト（２）を有する例示の地下室ドアを示している。施錠システムは、全てのロック及び機構体が、これらロックのうちの１つを施錠／解錠すると、これらのそれぞれの施錠／解錠位置に移行するよう構成されているのが良い。
【００２５】
図６は、例示の１組のＲＶ貯蔵ドアを示している。この実施例は、３つのドアを有し、パドルロックが各ドア（１）に取り付けられている。施錠システムは、パドルロックのうちのいずれかを施錠／解錠すると、全てのロックがこれらのそれぞれの施錠／解錠位置に移行するよう構成されているのが良い。
【００２６】
施錠箇所相互間の作動又は認証は、種々の仕方で実施でき、かかる仕方としては、生体計測、組み合わせ（電子的）、機械式（「キー」）、暗号化（数学的その他）及び／又は定義された電子信号又はパケットが挙げられるが、これらには限定されない。本発明は、ロックを認証する特定の仕方によって限定されることはない。
【００２７】
本発明は、ロック相互間のワイヤレスリンクには限定されない。相互連結が容量結合されたものであっても良く（例えば、誰かがドアを開けるためにハンドルセット又はノブに触ったとき、設定された施錠箇所のうちの幾つかが掛かり又は外れる）、機械的にリンクされ又は電子的に互いにワイヤ接続される実施形態も又想定される。
【００２８】
本発明を特定の手段、材料、及び実施形態を参照して説明したが、上記説明から当業者であれば、本発明の本質的な特徴並びに種々の変更及び改造を実施して本発明の精神及び範囲から逸脱することなく、種々の使用及び特性を適合させることができるということを容易に確かめることができる。
【図１】
0006371826.tif 000002
【図２】
0006371826.tif 000003
【図３】
0006371826.tif 000004
【図４】
0006371826.tif 000005
【図５】
0006371826.tif 000006
【図６】
0006371826.tif 000007